(57)【要約】【課題】監視機能を有する電子設備を提供する。【解決手段】本発明に係る電子装置は、電子設備の外部環境を撮ってイメージを獲得する撮像ユニットと、電子設備がスタンバイ状態になるかそれとも作動状態になるかを検出する監視ユニットと、電子設備がスタンバイ状態になる場合、撮像ユニットが獲得したイメージに基づいて異常が発生したか否かを判断し、電子設備が作動状態になる場合、撮像ユニットが獲得したイメージに基づいてユーザーが電子設備を異常に使用しているか否かを判断する検出ユニットと、撮像ユニットが撮ったイメージを所定位置に伝送する通信ユニットと、提示情報を生成する提示ユニットと、異常が発生した場合、通信ユニットを制御して撮像ユニットが撮ったイメージを所定位置に伝送し、ユーザーが電子設備を異常に使用している場合、提示ユニットを制御して提示情報を生成する処理ユニットと、を備える。【選択図】図２
2014033441.tif 000002
【特許請求の範囲】
【請求項１】
電子設備の外部環境を撮ってイメージを獲得する撮像ユニットと、
前記電子設備がスタンバイ状態になるかそれとも作動状態になるかを検出する監視ユニットと、
前記電子設備がスタンバイ状態になる場合、前記撮像ユニットが獲得したイメージに基づいて異常が発生したか否かを判断し、前記電子設備が作動状態になる場合、前記撮像ユニットが獲得したイメージに基づいてユーザーが前記電子設備を異常に使用しているか否かを判断する検出ユニットと、
前記撮像ユニットが撮ったイメージを所定位置に伝送する通信ユニットと、
提示情報を生成する提示ユニットと、
異常が発生した場合、前記通信ユニットを制御して前記撮像ユニットが撮ったイメージを所定位置に伝送し、ユーザーが前記電子設備を異常に使用している場合、前記提示ユニットを制御して第一提示情報を生成する処理ユニットと、
を備えることを特徴とする電子設備。
【請求項２】
前記検出ユニットは、動き検出モジュール及び顔検出モジュールを備え、
前記動き検出モジュールは、前記撮像ユニットが獲得したイメージに基づいて移動物体が存在するか否かを判断し、且つ移動物体が存在すると判断した場合に異常が発生したと確定し、
前記顔検出モジュールは、前記電子設備が作動状態になる場合に前記撮像ユニットが獲得したイメージに基づいて所定時間間隔でユーザーが目をまばたく回数が所定値より小さいか否かを判断し、且つ所定時間間隔でユーザーが目をまばたく回数が所定値より小さい場合に、ユーザーが前記電子設備を異常に使用していると確定することを特徴とする請求項１に記載の電子設備。
【請求項３】
前記顔検出モジュールは、前記動き検出モジュールによって移動物体を検出した場合に、前記移動物体に顔が存在するか否かを検出し、
前記処理ユニットは、前記顔検出モジュールによって前記移動物体に顔が存在すると検出した場合に、前記通信ユニットを制御して前記撮像ユニットが撮ったイメージを所定位置に伝送することを特徴とする請求項２に記載の電子設備。
【請求項４】
前記電子設備が作動状態になる場合、ユーザーの体温が所定範囲を超えるか否かを検出する温度感知ユニットをさらに備え、
前記処理ユニットは、前記温度感知ユニットによってユーザーの体温が所定範囲を超えると検出した場合に、前記提示ユニットを制御して第二提示情報を生成することを特徴とする請求項１に記載の電子設備。
【請求項５】
ユーザーの操作によって前記電子設備の監視機能を選択的にスタートオンする監視制御ユニットをさらに備え、
前記処理ユニットは、前記電子設備の監視機能がスタートオンされると、前記撮像ユニットをスタートオンすることを特徴とする請求項１に記載の電子設備。
【請求項６】
撮像機能を有する電子設備による監視方法であって、
前記電子設備の外部環境を撮ってイメージを獲得するステップと、
前記電子設備がスタンバイ状態になるかそれとも作動状態になるかを検出するステップと、
前記電子設備がスタンバイ状態になる場合、前記イメージに基づいて異常が発生したか否かを判断し、異常が発生した場合、前記イメージを所定位置に伝送するステップと、
前記電子設備が作動状態になる場合、前記イメージに基づいてユーザーが前記電子設備を異常に使用しているか否かを判断し、ユーザーが前記電子設備を異常に使用している場合、第一提示情報を生成するステップと、
を有することを特徴とする監視方法。
【請求項７】
前記電子設備が作動状態になる場合、ユーザーの体温が所定範囲を超えるか否かを検出し、ユーザーの体温が所定範囲を超えると、第二提示情報を生成するステップをさらに有することを特徴とする請求項６に記載の監視方法。
【請求項８】
前記電子設備の外部環境を撮ってイメージを獲得するステップの前に、前記電子設備の監視機能がスタートオンされたか否かを判断するステップをさらに有し、
前記電子設備の外部環境を撮ってイメージを獲得するステップは、
前記電子設備の監視機能がスタートオンされる場合、前記電子設備の外部環境を撮ってイメージを獲得するステップを含むことを特徴とする請求項６に記載の監視方法。
【請求項９】
前記電子設備がスタンバイ状態になる場合、前記イメージに基づいて異常が発生したか否かを判断し、異常が発生した場合、前記イメージを所定位置に伝送するステップは、
前記電子設備がスタンバイ状態になる場合、前記イメージに基づいて移動物体が存在するか否かを判断し、且つ移動物体が存在すると判断した場合に異常が発生したと確定するステップを含むことを特徴とする請求項６に記載の監視方法。
【請求項１０】
前記電子設備が作動状態になる場合、前記イメージに基づいてユーザーが前記電子設備を異常に使用しているか否かを判断し、ユーザーが前記電子設備を異常に使用している場合、第一提示情報を生成するステップは、
前記電子設備が作動状態になる場合、前記イメージに基づいて所定時間間隔でユーザーが目をまばたく回数が所定値より小さいか否かを判断し、且つ所定時間間隔でユーザーが目をまばたく回数が所定値より小さい場合に、ユーザーが前記電子設備を異常に使用していると確定するステップを含むことを特徴とする請求項６に記載の監視方法。
【発明の詳細な説明】
【技術分野】
【０００１】
本発明は、電子設備及びその監視方法に関するものであり、特に通信機能及び提示機能を有する電子設備及びその監視方法に関するものである。
【背景技術】
【０００２】
人々の安全意識の高まりに伴い、家にカメラを取り付けて、外出又は出勤の時に家の情況を現すイメージを撮ってメモリに格納し、帰宅してからメモリに格納されたイメージにアクセスことにより、家で起こる異常情況を発見することが行われている。
【発明の概要】
【発明が解決しようとする課題】
【０００３】
しかし、帰宅する前に家の出来事を知ることができない。また、人々が家でテレビジョンのような電子設備を使用しない時にパワーオフすることを忘れたときは、電子設備がスタンバイ状態に入って電力を浪費する。
【０００４】
本発明の目的は、前記課題を解決し、外出又は出勤して家にいない時も家の異常状況を知ることができ、且つ家で電子設備を使用する時に電力を浪費しないように提示する電子設備及びその監視方法を提供することである。
【課題を解決するための手段】
【０００５】
本発明に係る電子設備は、電子設備の外部環境を撮ってイメージを獲得する撮像ユニットと、電子設備がスタンバイ状態になるかそれとも作動状態になるかを検出する監視ユニットと、電子設備がスタンバイ状態になる場合、撮像ユニットが獲得したイメージに基づいて異常が発生したか否かを判断し、電子設備が作動状態になる場合、撮像ユニットが獲得したイメージに基づいてユーザーが電子設備を異常に使用しているか否かを判断する検出ユニットと、撮像ユニットが撮ったイメージを所定位置に伝送する通信ユニットと、提示情報を生成する提示ユニットと、異常が発生した場合、通信ユニットを制御して撮像ユニットが撮ったイメージを所定位置に伝送し、ユーザーが電子設備を異常に使用している場合、提示ユニットを制御して提示情報を生成する処理ユニットと、を備える。
【０００６】
本発明に係る監視方法は、撮像機能を有する電子設備によって監視する方法であって、電子設備の外部環境を撮ってイメージを獲得するステップと、電子設備がスタンバイ状態になるかそれとも作動状態になるかを検出するステップと、電子設備がスタンバイ状態になる場合、イメージに基づいて異常が発生したか否かを判断し、異常が発生した場合、イメージを所定位置に伝送するステップと、電子設備が作動状態になる場合、イメージに基づいてユーザーが電子設備を異常に使用しているか否かを判断し、ユーザーが電子設備を異常に使用している場合、第一提示情報を生成するステップと、を備える。
【発明の効果】
【０００７】
従来の技術に比べて、本発明の電子設備及び監視方法によれば、ユーザーが外出又は出勤して家にいない時も家の出来事を監視して、異常が発生した場合、異常状況をユーザーに伝送し、且つユーザーが家で電子設備を使用する時に電力を浪費しないように提示することができる。
【図面の簡単な説明】
【０００８】
【図１】本発明の実施形態に係る電子設備の使用状態を示す概略図である。
【図２】図１に示す電子設備のブロック図である。
【図３】本発明の実施形態に係る監視方法のフローチャートである。
【図４】本発明の実施形態に係る監視方法のフローチャートである。
【発明を実施するための形態】
【０００９】
以下、図面を参照して、本発明の実施形態について説明する。
【００１０】
図１及び図２に示したように、電子設備１００は、ユーザーが外出又は出勤して家にいない時も家の情況を現すイメージを撮って、異常状況が発生した際、異常状況を表すイメージをユーザーに伝送して通知し、且つユーザーが家で電子設備１００を使用する場合、電子設備１００がスタンバイ状態になると、ユーザーに電力を浪費しないように提示する。電子設備１００は、テレビジョン、コンピューターなどであることができ、本実施形態において、電子設備１００はテレビジョンである。
【００１１】
電子設備１００は、監視制御ユニット１１０、監視ユニット１２０、撮像ユニット１３０、検出ユニット１４０、通信ユニット１５０、提示ユニット１６０、温度感知ユニット１７０及び処理ユニット１８０を備える。監視制御ユニット１１０、監視ユニット１２０、検出ユニット１４０、通信ユニット１５０、提示ユニット１６０及び温度感知ユニット１７０は、全て処理ユニット１８０に電気的に接続される。
【００１２】
ユーザーが家にいない時又は家で電子設備１００を使用する時、監視制御ユニット１１０を操作して電子設備１００の監視機能をスタートオンし、ユーザーが家で電子設備１００を使用しない時、監視制御ユニット１１０を操作して電子設備１００の監視機能をスタートオフする。監視制御ユニット１１０は、電子設備１００に設置されたボタンであることができ、ユーザーがこのボタンを押すと、電子設備１００の監視機能をスタートオンする。
【００１３】
監視ユニット１２０は、電子設備１００の状態を検出して、電子設備１００がスタンバイ状態になると第一状態信号を生成し、電子設備１００が作動状態になると第二状態信号を生成する。
【００１４】
撮像ユニット１３０は、検出ユニット１４０によって処理ユニット１８０に電気的に接続される。撮像ユニット１３０は、電子設備１００の外部環境（以下、監視領域と称する）を撮って連続するイメージを獲得する。電子設備１００がスタンバイ状態になると、撮像ユニット１３０は監視領域で起こる出来事を記録するイメージを撮る。電子設備１００が作動状態になると、撮像ユニット１３０はユーザーのイメージを撮る。
【００１５】
検出ユニット１４０は、撮像ユニット１３０と処理ユニット１８０との間に電気的に接続される。検出ユニット１４０は、動き検出モジュール１４２及び顔検出モジュール１４４を備える。電子設備１００がスタンバイ状態になる場合、動き検出モジュール１４２は、第一状態信号に応じ且つ撮像ユニット１３０が獲得した連続するイメージに基づいて監視領域に異常が発生したか否かを判断する。本実施形態において、動き検出モジュール１４２は、撮像ユニット１３０が獲得した連続するイメージに基づいて監視領域に移動物体が存在すると判断した時、監視領域に異常が発生したと確定する。具体的に説明すると、先ず、動き検出モジュール１４２は、撮像ユニット１３０が撮った連続するイメージから監視領域の現在のイメージ及び前のイメージを獲得して、現在のイメージ及び前のイメージの特徴値を計算する。次に、動き検出モジュール１４２は、現在イメージ及び前のイメージの特徴値を比較する。最後に、特徴値が異なる領域を監視領域の動き領域として、この動き領域を移動物体とする。
【００１６】
顔検出モジュール１４４は、動き検出モジュール１４２が移動物体を検出した場合、顔識別技術を利用して、この移動物体に顔が存在するか否かを検出し、顔が存在する場合に監視信号を生成する。顔検出モジュール１４４は、ＹＣｂＣｒ色空間、顔検出手法（Ｆａｃｅ  Ｔｅｍｐｌａｔｅ  Ｍａｔｃｈｉｎｇ）又は他の顔検出技術を利用して、移動物体から顔を検出する。
【００１７】
電子設備１００が作動状態になる場合、検出ユニット１４０は、ユーザーが電子設備１００を異常に使用しているか否かを検出して、ユーザーが電子設備１００を異常に使用する場合に提示信号を生成する。本実施形態において、所定時間間隔（例えば、６０秒である）でユーザーが目をまばたく回数が所定値（例えば、３回である）より小さいと、ユーザーが電子設備１００を異常に使用していると確定することができ、即ちユーザーが睡眠状態になっていると確定することができる。具体的に説明すると、電子設備１００が作動状態になる場合、顔検出モジュール１４４によって顔が存在すると検出した時、動き検出モジュール１４２は、第二状態信号に応じて顔から目のまばたき回数を検出し、且つ所定時間間隔でユーザーが目をまばたく回数が所定値より小さいと第一提示信号を生成してユーザーを提示することにより、ユーザーが電子設備１００を使用しているときに睡眠状態に入って招く電力浪費を免れる。
【００１８】
電子設備１００が作動状態になる場合、温度感知ユニット１７０は、ユーザーの体温Ｔを感知して、ユーザーの体温Ｔが所定範囲Ｔ０を超えると第二提示信号を生成する。所定範囲Ｔ０は人の正常体温範囲である。ユーザーの体温Ｔが所定範囲Ｔ０を超えると、ユーザーが電子設備１００を使用しているときに健康状態に異常が出現したことを表示する。また、温度感知ユニット１７０は電子設備１００の周囲環境の温度（室温）を感知する。
【００１９】
提示ユニット１６０は、提示情報を生成してユーザーに注意をうながす。提示情報は、音声、音声と文字の結合、音声とＬＥＤ点滅との結合などの形式で表すことができる。例えば、提示ユニット１６０は、「パワーオフしてください」という音声提示情報を生成し、且つ「パワーオフしてください」という文字を電子設備１００の表示部に表示する。
【００２０】
処理ユニット１８０は、監視信号を受信すると、撮像ユニット１３０が撮ったイメージを通信ユニット１５０によって通信ネットワーク２００を介して所定位置に伝送する。所定位置は所定装置であることができ、例えば、ユーザーが携帯する携帯電話のような通信設備３００である。所定位置は所定アドレスであることができ、例えば、Ｅメールアドレスである。このように、ユーザーは外出しても家の出来事を知ることができ。処理ユニット１８０は、第一提示信号又は第二提示信号を受信すると、提示ユニット１６０が音声提示するように制御する。例えば、処理ユニット１８０は、第一提示信号を受信すると、提示ユニット１６０を制御して「疲れています、電子設備をパワーオフして寝てください」という第一提示情報を生成させる。処理ユニット１８０は、第二提示信号を受信すると、提示ユニット１６０を制御して「体温が異常です、健康に注意してください」という第二提示情報を生成させる。また、処理ユニット１８０は、温度感知ユニット１７０が検出した環境温度（室温）を電子設備１００の表示部に表示して、ユーザーが電子設備１００を使用しているとき、環境温度の変化を了解するようにする。
【００２１】
図３及び図４を参照すると、電子設備１００による監視方法は、撮像方式によって電子設備１００の周囲環境の状態を監視する。電子設備１００は、テレビジョン又はコンピューターなどであることができる。
【００２２】
ステップＳ２１０：監視機能がスタートオンされたか否かを判断する。もし監視機能がスタートオンされると、ステップＳ２２０に入る。もし監視機能がスタートオンされないと、ステップＳ２１０に戻る。本実施形態において、電子設備１００は監視制御ユニット１１０を備え、監視制御ユニット１００は電子設備１００に設置されたボタンであり、監視制御ユニット１００を押すと、電子設備１００の監視機能がスタートオンされる。このようにユーザーは実際の需要によって電子設備１００の監視機能を選択的にスタートオンすることができる。
【００２３】
ステップＳ２２０：撮像ユニット１３０は、電子設備１００の外部環境（以下、監視領域と称する）を撮って連続するイメージを獲得する。
【００２４】
ステップＳ２３０：監視ユニット１２０は、電子設備１００の状態を検出する。監視ユニット１２０によって電子設備１００がスタンバイ状態になると検出した場合、ステップＳ２４０に入る。監視ユニット１２０によって電子設備１００が作動状態になると検出した場合、ステップＳ２７０に入る。
【００２５】
ステップＳ２４０：動き検出ユニット１４２は、撮像ユニット１３０が獲得した連続するイメージに基づいて監視領域に移動物体が存在するか否かを判断する。移動物体が存在すると、ステップＳ２５０に入り、移動物体が存在しないと、ステップＳ２４０に戻る。
【００２６】
ステップＳ２５０：顔検出ユニット１４４は、顔検出技術を利用して移動物体に顔が存在するか否かを検出する。移動物体に顔が存在すると、ステップＳ２６０に入り、移動物体に顔が存在しないと、ステップＳ２４０に戻る。
【００２７】
ステップＳ２６０：処理ユニット１８０は、通信ユニット１５０によって撮像ユニット１３０が撮った連続するイメージを所定位置に伝送する。このようにユーザーは外出しても家の出来事を知ることができる。所定位置は、ユーザーが携帯する携帯電話のような通信設備又はＥメールアドレスのような所定アドレスであることができる。
【００２８】
ステップＳ２７０：温度感知ユニット１７０は、ユーザーの体温を感知し、顔検出ユニット１４４は、撮像ユニット１３０が獲得した連続するイメージに基づいてユーザーの顔情報を獲得する。
【００２９】
ステップＳ２８０：温度感知ユニット１７０は、ユーザーの体温が所定範囲を超えるか否かを検出する。もしユーザーの体温が所定範囲を超えると、ステップＳ４００に入り、もしユーザーの体温が所定範囲を超えないと、ステップＳ２９０に入る。
【００３０】
ステップＳ２９０：動き検出モジュール１４２は、獲得した顔情報からユーザーが所定時間間隔（例えば、６０秒である）で目をまばたく回数が所定値（例えば、３回である）より小さいか否かを判断する。所定時間間隔で目をまばたく回数が所定値より小さいと、ステップＳ３００に入る。所定時間間隔で目をまばたく回数が所定値より大きいか等しいと、ステップＳ２９０に戻る。
【００３１】
ステップＳ３００：処理ユニット１８０は、提示ユニット１６０を制御して「疲れています、電子設備をパワーオフして寝てください」という第一音声提示情報を生成する。
【００３２】
ステップＳ４００：処理ユニット１８０は、提示ユニット１６０を制御して「体温が異常です、健康に注意してください」という第二音声提示情報を生成する。
【００３３】
以上、本発明を実施形態に基づいて具体的に説明したが、本発明は、上述の実施形態に限定されるものではなく、その要旨を逸脱しない範囲において、種々の変更が可能であることは勿論であって、本発明の技術的範囲は、添付の特許請求の範囲から決まる。
【符号の説明】
【００３４】
１００  電子設備
１１０  監視制御ユニット
１２０  監視ユニット
１３０  撮像ユニット
１４０  検出ユニット
１４２  動き検出モジュール
１４４  顔検出モジュール
１５０  通信ユニット
１６０  提示ユニット
１７０  温度感知ユニット
１８０  処理ユニット
２００  通信ネットワーク
３００  通信設備
【図１】
2014033441.tif 000003
【図２】
2014033441.tif 000004
【図３】
2014033441.tif 000005
【図４】
2014033441.tif 000006